(57)【要約】【課題】  マウスを操作する操作者がプラスチックアレルギーや金属アレルギーを有している場合であっても、マウスを操作することによる手の指や手のひらの肌荒れなどの発生を防止・抑制する。【解決手段】マウス本体２の表面のうち、操作者の指先や手のひらが触れる部分に肌荒防止剤が含浸又は塗布されるシート部材３が着脱自在に取り付けられている。シート体３が前記マウス本体２に設けられたボタン４ａ，４ｂの表面に取り付けられている。シート部材３は表面に肌荒防止剤が含浸又は可能な構造、例えばスポンジやウレタンフォームなどの基材２ａ上にフェルトのような不織布などの表面材２ｂを積層したような構造を有する。【選択図】図１
2006227663.tif 000002
【特許請求の範囲】
【請求項１】
コンピュータに対して入力操作を行うためのコンピュータ入力用マウスにおいて、前記マウス本体の表面のうち、操作者の指先や手のひらが触れる部分に肌荒防止剤が含浸又は塗布されるシート部材が着脱自在に取り付けられていることを特徴とするコンピュータ入力用マウス。
【請求項２】
前記シート体が前記マウス本体に設けられた入力用のボタンの表面に取り付けられていることを特徴とする請求項１記載のコンピュータ入力用マウス。
【請求項３】
表面に肌荒防止剤が含浸又は塗布可能な構造であることを特徴とする請求項１又は２記載のコンピュータ入力用マウスに取り付けられるシート部材。
【発明の詳細な説明】
【技術分野】
【０００１】
本発明は、コンピュータに対してカーソルなどの座標表示等の動きを入力するために使用されるコンピュータ入力用マウスに関し、特に操作者の指先や手のひらに手荒れやアレルギーが生ずることが抑制・防止できるコンピュータ入力用マウス及びこれに使用されるシート部材に関する。
【背景技術】
【０００２】
コンピュータに接続された表示手段（液晶ディスプレーなど）上のカーソルなどを移動させる信号を入力するためにマウスと呼ばれるコンピュータ入力手段が広く使用されている。マウスは操作者が手で握って移動させられ、マウス本体に内蔵されたボールの回転や発光手段によりマウスの移動量と移動方向が検出されてコンピュータに入力される。
【発明の開示】
【発明が解決しようとする課題】
【０００３】
前記マウスは主としてプラスチック材料で製造されており、そのプラスチック材料からなるマウス本体の表面に金属材料を蒸着したり、金属部品を取り付けたりしたものがある。マウスは操作者が手で握るものであり、操作者の体質によってはプラスチックアレルギーや金属アレルギーを起こす場合があり、指先や手のひらに肌荒れやかぶれなどの障害を生じさせる場合があった。
【０００４】
本発明はかかる事情に鑑みてなされたもので、マウスを操作する者がプラスチックアレルギーや金属アレルギーを有している場合であっても、マウスを操作することにより手の指や手のひらに肌荒れやかぶれなどの障害が発生することを防止・抑制することができるコンピュータ入力用マウス及びこれに使用されるシート部材を提供することを目的とする。
【課題を解決するための手段】
【０００５】
（１）コンピュータに対して入力操作を行うためのコンピュータ入力用マウスにおいて、前記マウス本体の表面のうち、操作者の指先や手のひらが触れる部分に肌荒防止剤が含浸又は塗布されるシート部材が着脱自在に取り付けられている。
（２）前記シート体が前記マウス本体に設けられたボタンの表面に取り付けられている。
（３）前記シート部材が表面に肌荒防止剤が含浸又は塗布可能な構造である。
【発明の効果】
【０００６】
（１）シート部材により手の指や手のひらとの直接接触が抑制され、しかもコンピュータ入力用マウスを操作する際にシート部材に含浸又は塗布された肌荒防止剤が指先や手のひらに付着させられ、意識せずに指先や手のひらのスキンケアを行うことができる。
（２）コンピュータ入力用マウスの操作上必ず触れなければならないボタンの表面にシート部材が取り付けられているので、さらに効果的に意識せずに指先のスキンケアを行うことができる。
（３）肌荒防止剤を含浸又は塗布させてコンピュータ入力用マウスに取り付けて、肌荒防止などのスキンケアを図ることができる。
【発明を実施するための最良の形態】
【０００７】
本発明の実施の一形態に係るコンピュータ入力用マウス（以下、マウスという。）及びこれに使用されるシート部材について、図面を参照して説明する。
【０００８】
本マウス１は、図１に示すように、マウス本体２の表面のうち、操作者の指先や手のひらが触れる部分に肌荒防止剤が含浸されるシート部材３が着脱自在に取り付けられている。
【０００９】
シート部材３は、図７に示すように、スポンジやウレタンフォームなどの発泡体からなる基材３ａと、この基材３ａの表面に形成されたフェルトのような不織布又は織布などからなる表面材３ｂと、前記基材３ａの裏面に形成された粘着層３ｃとを備えている。基材３ａや表面材３ｂなどの厚さはマウスの操作に支障がないものであれば適宜の厚さのものを採用することができる。基材３ａや表面材３ｂの材質は肌荒防止剤が含浸又は塗布することができるものであれば適宜の材料を採用することができる。
【００１０】
図1に示すように、シート部材３はマウス本体２に形成された左ボタン４ａ及び右ボタン４ｂの表面に前記粘着層２ｃを介して着脱自在に取り付けられている。更に、マウス１のマウス本体２を親指や小指などの指で握った場合にこれらの指が接触する両側面にもシート部材３が同様な方法により取り付けられている。なお、片方の側面だけにシート部材３設けるものであっても良い。
【００１１】
本発明の実施の一形態に係るマウスの使用方法について説明する。シート部材３を、マウス本体２に形成されたボタン４ａ，４ｂやマウス本体２の表面に、シート部材３に形成された粘着層３ｃにより着脱自在に取り付ける。各シート部材３は個々のマウス１に対応してあらかじめ所定の形状に切断加工などにより形成されていてもよいし、シート材で供給されるものから操作者が自ら所望の形状のシート部材を切り出すようにしてもよい。
【００１２】
次に、取り付けたシート部材３の表面材３ｂの表面に保湿剤やスキンクリームなどの肌荒防止剤を塗布する。これにより、マウス１を操作する者がマウス１を握って操作するたびに指先や手のひらにシート部材３に塗布された肌荒防止剤が付着する。したがって、操作者がプラスチックアレルギーや金属アレルギーを有している場合でも、意識せずに肌荒防止剤によりスキンケアが行われ肌荒れなどが生ずることが抑制・低減される。
【００１３】
すなわち、シート部材３により手の指や手のひらとの直接接触が抑制され、マウス１を操作する際にシート部材３に含浸された肌荒防止剤が指先や手のひらに付着させられ、意識せずに指先や手のひらのスキンケアを行うことができる。また、マウス１の操作上必ず触れなければならないボタン４ａ，４ｂの表面にシート部材３が取り付けられているので、同様に意識せずに指先のスキンケアを行うことができる。
【００１４】
図２に本発明の実施の他の形態に係るマウスを示す。このマウス５は側面に小ボタン４ｃ，４ｄが形成されたもので、この小ボタン４ｃ，４ｄの表面にも上述の実施の形態と同様構造のシート部材６が取り付けられている。
【００１５】
図３に本発明の実施の更に他の形態に係るマウスを示す。このマウス７は、マウス本体２の手のひらが載置されて接触する部分に上述の実施の形態と同様構造のシート部材８が取り付けられている。マウス本体２の手のひらが接触する部分は手のひらに対応して曲面形状になっているので、図示するような方形形状のシート部材８で密着させて取り付けにくい場合が生ずるが、基材や表面材に高い伸縮性を具備した材料を使用することによって当該曲面部にフィットさせることができる。
【００１６】
図４に本発明の実施の更に他の形態に係るマウスを示す。このマウス９は、マウス本体２の手のひらが載置されて接触する部分に上述の実施の形態と同様構造のシート部材１０が取り付けられている。手のひらが接触する部分は手のひらに対応して曲面形状になっているが、シート部材１０を図示のように細長い形状のものとしたので曲率に対応して密着させて取り付け易くなる。
【００１７】
図５に本発明の実施の更に他の形態に係るマウスを示す。このマウス１１は、マウス本体１２に左ボタン１４ａ、右ボタン４ｂなどが形成されたもので、左ボタン１４ａ及び右ボタン１４ｂの表面には上述の実施の形態と同様な構造のシート部材１３が着脱自在に取り付けられている。また、マウス本体１２の手のひらが載置され接触する部分に上述の実施の形態と同様構造のシート部材１５が取り付けられている。このシート部材１５は円板状形状をなしており複数個（図では９個）が当該部分に取り付けられている。手のひらが接触する部分は手のひらに対応して曲面形状になっているが、シート部材１５を円板状形状のものとし複数個に分割して構成したので曲率に対応して確実に密着させて取り付けることができる。
【００１８】
図６に本発明の実施の更に他の形態に係るマウスを示す。このマウス１６では、左ボタン１４ａ及び右ボタン１４ｂの表面には上述の実施の形態と同様な構造のシート部材１３が着脱自在に取り付けられ、マウス本体１２の手のひらが載置され接触する部分に上述の実施の形態と同様構造のシート部材２０が取り付けられている。また、マウス本体１２の左側面には上述の実施の形態と同様な構造の1枚のシート部材１７が取り付けられ、マウス本体１２の右側面には上述の実施の形態と同様な構造の複数個（図では３個）に分割されたシート部材１８が取り付けられている。これは、シート部材１８は小指や薬指に対応して分割して構成したものである。
【００１９】
図８に本発明の実施の更に他の形態に係るマウスに使用されるシート部材２１の断面図を示す。このシート部材２１は皿状の受け部材２２の内側領域内に発泡体からなる基材と不織布などからなる表面材を配置し、受け部材２２の底面に粘着層２１ｃを形成したものである。このものでは、受け部材２２により表面材などに含浸させた肌荒防止剤が漏れ出すことが抑制・低減される。
【００２０】
なお、シート部材の色や形を実用性から外れて変更することによりシート部材にアクセサリーとしての機能を果たさせることもできる。また、シート部材の表面にカラー又は白黒で固有のスポンサー等の名称やロゴを印刷し当該スポンサーの宣伝に供することができる。さらに、シート部材の表面にカラフルな模様等を印刷し個人の趣味に供することができる。
【００２１】
また、シート部材に含浸又は塗布させる肌荒防止剤としては市販のハンドクリームなどを使用することができるが、肌荒防止機能の他に抗菌性を備えた薬剤を塗布又は含浸させることもできる。
【図面の簡単な説明】
【００２２】
【図１】本発明の実施の一形態に係るマウスを示す斜視図である。
【図２】本発明の実施の他の形態に係るマウスを示す斜視図である。
【図３】本発明の実施の更に他の形態に係るマウスを示す斜視図である。
【図４】本発明の実施の更に他の形態に係るマウスを示す斜視図である。
【図５】本発明の実施の更に他の形態に係るマウスを示す平面図である。
【図６】本発明の実施の更に他の形態に係るマウスを示す平面図である。
【図７】本発明の実施の形態に係るマウスに使用されるシート部材を示す断面図である。
【図８】本発明の実施の形態に係るマウスに使用されるシート部材を示す断面図である。
【符号の説明】
【００２３】
１，５，７，９，１１，１６    マウス
２，１２    マウス本体
３，６，８，１０，１３，１５，１７，１８，２０    シート部材
３ａ    基材
３ｂ    表面材
３ｃ    粘着層
４ａ，１４ａ    左ボタン
４ｂ，１４ｂ    右ボタン
４ｃ    小ボタン
２１    シート部材
２１ａ    基材
２１ｂ    表面材
２１ｃ    粘着層
２２    受け部材
【図１】
2006227663.tif 000003
【図２】
2006227663.tif 000004
【図３】
2006227663.tif 000005
【図４】
2006227663.tif 000006
【図５】
2006227663.tif 000007
【図６】
2006227663.tif 000008
【図７】
2006227663.tif 000009
【図８】
2006227663.tif 000010